(57)【要約】【課題】本発明はコピー制御情報に基づいて適切な記録再生装置を自動的に選択し記録させるデジタル記録装置及びデジタル記録方法を提供する。【解決手段】ハードディスクドライブと、着脱可能な記録媒体に記録するための記録ドライブと、コピーを自由に許可する第１の識別信号及びコピーを１度だけ許可する第２の識別信号の何れか一方の信号を具備する記録コンテンツが入力された時、前記第１の識別信号を識別した場合前記コンテンツを前記ハードディスクドライブによって記録するように制御し、前記第２の識別信号を識別した場合前記コンテンツを前記記録ドライブによって記録するように制御する制御手段とを具備することを特徴とする。【選択図】      図１
2004280977.tif 000002
【特許請求の範囲】
【請求項１】
ハードディスクドライブと、
着脱可能な記録媒体に記録するための記録ドライブと、
コピーを自由に許可する第１の識別信号及びコピーを１度だけ許可する第２の識別信号の何れか一方の信号を具備する記録コンテンツが入力された時、前記第１の識別信号を識別した場合前記コンテンツを前記ハードディスクドライブによって記録するように制御し、前記第２の識別信号を識別した場合前記コンテンツを前記記録ドライブによって記録するように制御する制御手段とを具備することを特徴とするデジタル記録装置。
【請求項２】
ハードディスクと着脱可能な記録媒体にコンテンツを記録するためのデジタル記録装置に前記コンテンツを記録するデジタル記録方法であって、
コピーを自由に許可する第１の識別信号及びコピーを１度だけ許可する第２の識別信号の何れか一方の信号を具備するコンテンツを入力する工程と、
前記コンテンツから前記第１の識別信号或いは前記第２の識別信号のいずれかを識別する工程と、
前記第１の識別信号を識別した場合、前記コンテンツをハードディスクに記録し、前記第２の識別信号を識別した場合、前記コンテンツを着脱可能な記録媒体に記録する工程とを具備することを特徴とするデジタル記録方法。
【発明の詳細な説明】
【０００１】
【発明の属する技術分野】
本発明は、デジタル記録装置及びデジタル記録方法に関する。
【０００２】
【従来の技術】
記録媒体として、従来コンピュータに用いられていたハードディスク（ＨＤＤ）と、着脱可能な光ディスク（例えばＤＶＤ（ディジタル・バーサタイズ・ディスク））の両方を持つデジタル記録再生装置が開発されている。
【０００３】
このような異なる２つの記録媒体を持つデジタル記録再生装置は、通常大容量のハードディスクにコンテンツを取り込み、ユーザーが必要に応じて好みのコンテンツをＤＶＤに移すという用い方ができる。
【０００４】
【特許文献１】
特開２００２−１１８８３４号公報
【０００５】
【発明が解決しようとする課題】
また、デジタルコンテンツでは、コピーを繰返しても画像が乱れたり音声に雑音が入ったりといった劣化を生じないことから、デジタルコンテンツを受け取ったものに対して自由にコピーをさせてしまうと著作権の問題が生じる。例えば放送局などのコンテンツ提供者は、自由にコンテンツをコピーしてもいい場合と映画などのようにコピーを許可しない場合など目的に応じて著作権を主張したい要請がある。
【０００６】
そこで、ＩＥＥＥ１３９４入出力インターフェースを具備する機器は、デジタルコンテンツにはアイソクロナスストリームのアイソクロナスパケットヘッダ内にＥＭＩ（Ｅｎｃｒｙｐｔｉｏｎ  Ｍｏｄｅ  Ｉｎｄｉｃａｔｏｒ）を設定しており、コンテンツをコピーしてもよい状態（ＥＭＩ＝００）或いはコンテンツを１度だけコピーしてもよい状態（ＥＭＩ＝１０）を制御できるようにしている。
【０００７】
ここでコンテンツを１度だけコピーをしてもよい状態（ＥＭＩ＝１０）とは、記録媒体に１度だけ記録可能（コピー可能）としてもよい状態で、例えばＤＶＤに１度録画されたコンテンツはその後移す或いはコピーをすることができない状態である。
【０００８】
しかしながら、このようなデジタル記録再生装置では、ユーザーが手動で内蔵する記録再生装置を選択する方式をとっているため、コンテンツを１度だけコピーしてもよい状態（ＥＭＩ＝１０）のストリームをＨＤＤに記録してしまう可能性が起こり得る。単に記録しようとするストリームが記録可能かどうかの情報しかユーザーに与えられない場合は、この頻度はさらに高くなる。そして、一旦、ＥＭＩ＝１０のストリームをＨＤＤに記録してしまった場合には、この記録済のストリーム（データ）は、一方のリムーバル記録メディア記録再生装置へダビング（コピー）することができなくなる。
【０００９】
すなわちこのコンテンツは消去はできるが移したりコピーできないために常にＨＤＤの領域に存在するので、新しいストリームをＨＤＤに記録しようとした場合ＨＤＤの記録空き容量が不足する問題が生じる。
【００１０】
本発明は、上記の問題点を解決するためになされたものであり、コピー制御情報に基づいて適切な記録再生装置を自動的に選択し記録させるデジタル記録再生装置を提供することを目的とする。
【００１１】
【課題を解決するための手段】
上記目的を達成するために、本発明は、ハードディスクドライブと、
着脱可能な記録媒体に記録するための記録ドライブと、
コピーを自由に許可する第１の識別信号及びコピーを１度だけ許可する第２の識別信号の何れか一方の信号を具備する記録コンテンツが入力された時、前記第１の識別信号を識別した場合前記コンテンツを前記ハードディスクドライブによって記録するように制御し、前記第２の識別信号を識別した場合前記コンテンツを前記記録ドライブによって記録するように制御する制御手段とを具備することを特徴とするデジタル記録再生装置を提供する。
【００１２】
また、本発明は、ハードディスクと着脱可能な記録媒体にコンテンツを記録するためのデジタル記録装置に前記コンテンツを記録するデジタル記録方法であって、
コピーを自由に許可する第１の識別信号及びコピーを１度だけ許可する第２の識別信号の何れか一方の信号を具備するコンテンツを入力する工程と、
前記コンテンツから前記第１の識別信号或いは前記第２の識別信号のいずれかを識別する工程と、
前記第１の識別信号を識別した場合、前記コンテンツをハードディスクに記録し、前記第２の識別信号を識別した場合、前記コンテンツを着脱可能な記録媒体に記録する工程とを具備することを特徴とするデジタル記録方法を提供する。
【００１３】
【発明の実施の形態】
以下、本発明の実施形態について図面を用いて詳細に説明する。なお、本発明は、以下の実施形態に限定されるものではない。
図１は、本発明の実施形態１に係わるデジタル記録再生装置のブロック図である。
図１に示すように、このデジタル記録再生装置１は、ＥＭＩ識別及び記録再生装置指示指定部４と、１３９４Ｉ／Ｆ３と、記録再生装置切換え器５と、ＨＤＤ記録再生装置６と、リムーバブル記録メディア記録再生装置７を具備している。
【００１４】
図１に示すように、ＩＥＥＥ１３９４バス２経由で入力されたアイソクロナスストリームは、１３９４Ｉ／Ｆ３で受信され図５及び図６に示すアイソクロナスパケットヘッダ内のＥＭＩ（コピー制御情報）が抽出され、ＥＭＩ識別＆記録再生装置指定部（自動モード）４に送られる。ここでは、ＥＭＩに基づき、ＥＭＩ＝００（Ｃｏｐｙ  Ｆｒｅｅ）の場合はＨＤＤ記録再生装置６を選択して記録するようにする。
【００１５】
また、ＥＭＩ＝１０（Ｃｏｐｙ  ｏｎｅ  ｇｅｎｅｒａｔｉｏｎ）の場合にはリムーバル記録メディア記録再生装置７を選択して記録させるように、記録再生装置切換え器５を制御する。
【００１６】
なお、ＥＭＩ＝０１（Ｎｏ  ｍｏｒｅ  ｃｏｐｙ）及びＥＭＩ＝１１（Ｃｏｐｙ    ｎｅｖｅｒ）の場合は記録はできないので、このコピー制御情報を識別した後に記録操作は終了する。
【００１７】
この動作を図２に示す記録操作フローを用いて説明する。
先ず、デジタル記録再生装置１に１３９４入力ストリームが受信される（ステップ２１）と、アイソクロナスパケットヘッダ内にあるＥＭＩを抽出する（ステップ２２）。
【００１８】
次に、ＥＭＩ値を検出し（ステップ２３）、ＥＭＩ＝１０（１度だけコピー可）の場合リムーバル記録メディア記録再生装置に記録する要に制御する（ステップ２５）。ＥＭＩ＝００（コピーフリー）の場合ＨＤＤに記録する（ステップ２４）ように制御する。
【００１９】
以上実施形態にて説明したように、デジタル記録再生装置に、ＥＭＩによってＨＤＤドライブに記録するか取り外し可能なメディアに記録する可を制御する自動切換えモードを具備したことにより、ＥＭＩ＝１０の映像／音声などのデータをＨＤＤへ記録してしまうことが回避できる。こうすることで、ユーザーが誤ってＨＤＤに記録してしまった場合、さらにＨＤＤへ記録を行おうとした時に、ＨＤＤの記録空き容量が足りなくなってしまったので、もはや他の記録再生装置へダビング（コピー）できない記録済のＥＭＩ＝１０のデータを消去せざるを得ない状況を回避できる。
【００２０】
次に、図３を用いて本発明の別の実施形態に関わるデジタル記録再生装置について説明する。図４は、その記録操作フローである。
図３の例は、デジタル記録再生装置３１への入力が、デジタル放送用受信アンテナ３２からのものを示したものである。
図３に示すように、デジタル放送用受信アンテナ３２からの信号はデジタル放送受信用チューナ３３で受信及び復号される。また、デジタル放送受信用チューナ３３で抽出されたＥｍｂｅｄｄｅｄ  ＣＣＩに基づき、ＣＣＩ識別＆記録再生装置指定部（自動）３４でＣＣＩ＝００（コピーフリー）の場合はＨＤＤ記録再生装置３６を選択し、ＣＣ＝１０（コピー１回可）の場合はリムーバル記録メディア記録再生装置３７を選択する。この制御情報は切換え器３５に送られ、これにより指定された記録再生装置が選択される。
【００２１】
なお、Ｅｍｂｅｄｄｅｄ  ＣＣＩは、図７に示すような構造でデジタル放送ストリームの中に埋め込まれている。
すなわち、デジタル放送ストリームの内のＰＭＴ（Ｐｒｏｇｒａｍ  ＭａｐＴａｂｌｅ）内のＤＴＣＰ＿Ｄｅｓｃｒｉｐｔｏｒ内に記述されている。
以上説明したように、デジタル記録再生装置が、ＨＤＤ記録再生装置とリムーバル記録メディア記録再生装置とを内蔵する場合に、ＩＥＥＥ１３９４バス経由あるいはデジタル放送経由で記録しようとするストリームのコピー制御情報に基づいて、自動的に記録再生装置を選択するモードを具備するという本提案の例を示した。本提案は前記のストリーム入力方法に限らず、本提案の主旨を逸脱しない範囲で、他のストリーム入力方法にも適用することが可能である。
【００２２】
【発明の効果】
本発明は、コピー制御情報に基づいて適切な記録再生装置を自動的に選択し記録させるデジタル記録再生装置を提供できる。
【図面の簡単な説明】
【図１】本発明の実施形態に係わるデジタル記録再生装置の概念図。
【図２】本発明の実施形態に係わるデジタル記録再生装置の動作を説明するフロー。
【図３】本発明の別の実施形態に係わるデジタル記録再生装置のブロック図。
【図４】本発明の別の実施形態に係わるデジタル記録再生装置の動作を説明するフロー。
【図５】アイソクロナスパケットヘッダ内のＥＭＩ。
【図６】アイソクロナスパケットヘッダ内のＥＭＩ。
【図７】Ｅｍｂｅｄｄｅｄ  ＣＣＩ
【符号の説明】
１・・・デジタル記録再生装置
２・・・入力
３・・・１３９４  Ｉ／Ｆ
４・・・ＥＭＩ識別及び記録再生装置指定部
５・・・記録再生装置切換え器
６・・・ＨＤＤ記録再生装置
７・・・リムーバル記録メディア記録再生装置
【図１】
2004280977.tif 000003
【図２】
2004280977.tif 000004
【図３】
2004280977.tif 000005
【図４】
2004280977.tif 000006
【図５】
2004280977.tif 000007
【図６】
2004280977.tif 000008
【図７】
2004280977.tif 000009